(57)【要約】本発明は、伸縮可能なスイベルアンテナに関するものであって、ヒンジ部を囲む最外郭アンテナを含んで、ヒンジ部の変形を防止することによって、耐久性が向上した伸縮可能なスイベルアンテナを提供する。このために、本発明は、端末機２００と電気的に連結される給電部１１０と、外部から受信された電波を給電部１１０に伝達して伸縮可能に多段に折り畳まれたアンテナ部１２０と、給電部１１０とアンテナ部１２０とを連結し、アンテナ部１２０を回動させるヒンジ部１３０を含んだスイベルアンテナであって、ヒンジ部１３０はアンテナ部１２０に連結された挿入部１３１と、給電部１１０に連結され、一側と他側との直径が互いに異なる段差部１３２ｓを持つ溝部１３２と、挿入部１３１及び溝部１３２を固定するヒンジピン１３３とを含み、アンテナ部１２０は挿入部１３１に固定されたホイップアンテナ１２１と、ホイップアンテナ１２１を中心として折り畳まれる１つ以上のロードアンテナ１２２，１２３，１２４からなり、かつ溝部１３２の他側に比べて内径の小さい溝部の一側が折り畳まれる１つ以上のロードアンテナのうち、最外郭のロードアンテナに収容されることを特徴とする伸縮可能なスイベルアンテナを開示する。【選択図】図７
2010533410.tif 000002
【特許請求の範囲】
【請求項１】
端末機２００と電気的に連結される給電部１１０と、外部から受信された電波を前記給電部１１０に伝達し、伸縮可能に多段に折り畳まれたアンテナ部１２０と、前記給電部１１０と前記アンテナ部１２０とを連結し、前記アンテナ部１２０を回動させるヒンジ部１３０とを含んだスイベルアンテナ１００であって、
前記ヒンジ部１３０は、前記アンテナ部１２０に連結された挿入部１３１と、前記給電部１１０に連結され、一側と他側との直径が互いに異なる段差部１３２ｓを持つ溝部１３２と、前記挿入部１３１及び前記溝部１３２を固定するヒンジピン１３３とを含み、
前記アンテナ部１２０は、前記挿入部１３１に固定されたホイップアンテナ１２１と、前記ホイップアンテナ１２１を中心として折り畳まれる第１乃至第３ロードアンテナ（１２２乃至１２４）からなり、
前記溝部１３２の他側１３２ｄに比べて内径の小さい前記溝部１３２の一側１３２ｃは前記折り畳まれる１つ以上のロードアンテナ１２２、１２３、１２４のうち、最外郭のロードアンテナ１２４に収容されることを特徴とする伸縮可能なスイベルアンテナ。
【請求項２】
前記最外郭のロードアンテナ１２４は、折り畳まれた端部１２４ｓが前記溝部１３２の段差部１３２ｓに位置することを特徴とする請求項１に記載の伸縮可能なスイベルアンテナ。
【請求項３】
前記溝部１３２の一側１３２ｃは、前記最外郭のロードアンテナ１２４の折り畳まれた端部１２４ｓに比べて直径が小さく、前記溝部１３２の他側１３２ｄは前記最外郭のロードアンテナ１２４の折り畳まれた端部１２４ｓに比べて直径が大きいことを特徴とする請求項２に記載の伸縮可能なスイベルアンテナ。
【発明の詳細な説明】
【技術分野】
【０００１】
本発明は、伸縮可能なスイベルアンテナに関し、より詳しくは、ヒンジ部を囲む最外郭アンテナを含んでヒンジ部の変形を防止することによって、耐久性が向上した伸縮可能なスイベルアンテナに関する。
【背景技術】
【０００２】
一般に、電波を送受信するアンテナは、ロードアンテナ（Road Antenna）、パッチアンテナ（Microstrip Antenna）などの種類がある。最近、各種端末機が軽薄、小型化する趨勢に従い端末機内のアンテナ設置のための空間が減って短い長さで受納されてから、必要時に長さを延長して使用周波数帯域に合うアンテナ長さを確保することができる伸縮型ロードアンテナが多く使われている。
【０００３】
最近、ＤＭＢ（Digital Multimedia Broadcasting）機能を搭載した端末機の使用が急増することにつれて、良質の電波を受信するために伸縮性ロードアンテナを多様な角度に折り曲げて使用できるようにしたスイベルアンテナ（Swivel Antenna）が多い端末機に適用されている趨勢である。
【０００４】
図１には従来のスイベルアンテナが端末機に挿入された形態を示す図面が図示されており、図２には図１のスイベルアンテナの長さが延びて回動する形態を示す図面が図示されている。また、図３には従来のスイベルアンテナが端末機に挿入される形態を示す図面が図示されている。
【０００５】
従来のスイベルアンテナ１０は、図１及び図２を参照すれば、端末機２０と電気的に連結される給電部１１と、多段に折り畳まれるアンテナ部１２と、給電部１１とアンテナ部１２との間に設けられたヒンジ部１３とを含む。スイベルアンテナ１０は平常時にはアンテナ部１２が多段に折り畳まれた状態で端末機２０に設けられた空間２０ａに内蔵されてから、電波を受信する間には必要によってアンテナ部１２の各段を長く延長して使用するようになされる。この際、アンテナ部１２は弾性力を持つホイップアンテナ１２ａ（Whip Antenna）を含んでヒンジ部１３によるアンテナ部１２の回動時、アンテナが折れる等の損傷を防止するようになされる。このようなスイベルアンテナ１０は、ヒンジ部１３のヒンジピン１３ａを軸にして決まった方向（Ｒ１）に回動するようになされる。
【０００６】
前述した従来のスイベルアンテナ１０は、多段に折り畳まれたアンテナ部１２を端末機２０に挿入するために上部から下部へ力を加える。しかしながら、仮に図３に示すように、アンテナ部１２に傾斜した方向の力（Ｆ１）を加える場合、ヒンジ部１３が折曲方向と反対方向（Ｒ２）に曲げられ、これによってヒンジ部１３の溝部１３ｂが開く問題点がある。上記のようなヒンジ部１３の変形または損傷は、スイベルアンテナ１０の耐久性を低下させ、顧客の不満をもたらす問題点がある。
【発明の概要】
【発明が解決しようとする課題】
【０００７】
本発明は、前述した従来の問題点を解消するためのものであって、特にヒンジ部を囲む最外郭アンテナを含んで、ヒンジ部の変形を防止することによって、耐久性が向上したスイベルアンテナを提供することをその目的とする。
【課題を解決するための手段】
【０００８】
本発明によるスイベルアンテナは、端末機２００と電気的に連結される給電部１１０と、外部から受信された電波を上記給電部１１０に伝達し、伸縮可能に多段に折り畳まれたアンテナ部１２０と、上記給電部１１０と上記アンテナ部１２０とを連結し、上記アンテナ部１２０を回動させるヒンジ部１３０とを含んだスイベルアンテナ１００であって、上記ヒンジ部１３０は上記アンテナ部１２０に連結された挿入部１３１と、上記給電部１１０に連結され、一側と他側との直径が互いに異なる段差部１３２ｓを持つ溝部１３２と、上記挿入部１３１及び上記溝部１３２を固定するヒンジピン１３３を含み、上記アンテナ部１２０は上記挿入部１３１に固定されたホイップアンテナ１２１と、上記ホイップアンテナ１２１を中心として折り畳まれる１つ以上のロードアンテナ１２２、１２３、１２４からなり、かつ、上記溝部１３２の他側１３２ｄに比べて内径の小さい上記溝部１３２の一側１３２ｃが上記折り畳まれる１つ以上のロードアンテナ１２２、１２３、１２４のうち、最外郭のロードアンテナ１２４に収容されることを特徴とすることができる。この際、上記最外郭のロードアンテナ１２４は折り畳まれた端部１２４ｓが上記溝部１３２の段差部１３２ｓに位置することを特徴とすることができる。また、上記溝部１３２の一側１３２ｃは上記最外郭のロードアンテナ１２４の折り畳まれた端部１２４ｓに比べて直径が小さく、上記溝部１３２の他側１３２ｄは上記最外郭のロードアンテナ１２４の折り畳まれた端部１２４ｓに比べて直径が大きいことを特徴とすることができる。
【発明の効果】
【０００９】
本発明による伸縮可能なスイベルアンテナによれば、多段に折り畳まれたアンテナ部のうち、最外郭に形成された第３ロードアンテナが溝部の一側を収容するようになされることによって、外力によりヒンジ部の結合部が変形されることを防止する効果がある。
【００１０】
また、本発明によれば、アンテナ部によりヒンジ部が保護されることで、相対的に耐久性が高まり、これによって使用者の信頼を得る効果がある。
【図面の簡単な説明】
【００１１】
【図１】従来のスイベルアンテナが端末機に挿入された形態を示す図である。
【図２】図１のスイベルアンテナの長さが延びて回動する形態を示す図である。
【図３】従来のスイベルアンテナが端末機に挿入される形態を示す図である。
【図４】本発明の一実施形態に係るスイベルアンテナが端末機に挿入された形態を示す図である。
【図５】本発明の一実施形態に係るスイベルアンテナの断面図である。
【図６】図４及び図５のスイベルアンテナのうち、アンテナ部を延長した形態を示す平面図である。
【図７】本発明の一実施形態に係るスイベルアンテナの要部斜視図である。
【図８】本発明に係るスイベルアンテナが端末機に収容される形態を示す図である。
【発明を実施するための形態】
【００１２】
以下、添付された図面と実施形態を参照しつつ本発明に係る伸縮可能なスイベルアンテナについて詳細に説明する。図面において、本発明を明確に説明するために説明と関係ない部分は省略し、明細書全体を通じて類似な部分に対しては類似な図面符号を使用して説明する。
【００１３】
まず、本発明の一実施形態に係る伸縮可能なスイベルアンテナ（Swivel Antenna）について説明する。
【００１４】
図４には本発明の一実施形態に係るスイベルアンテナが端末機に挿入された形態を示す図面が図示されており、図５には本発明の一実施形態に係るスイベルアンテナの断面図が図示されている。また、図６には図４及び図５のスイベルアンテナのうち、アンテナ部を延長した形態を示す平面図が図示されている。
【００１５】
図４乃至図６を参照すれば、本発明の一実施形態に係るスイベルアンテナ１００は、給電部１１０、アンテナ部１２０、及びヒンジ部１３０を含んでなされることができる。本発明に係るスイベルアンテナ１００は、端末機２００に設けられた空間２００ａに内蔵された状態で保管される。スイベルアンテナ１００は折り畳まれたアンテナ部１２０がヒンジ部１３０の一部を収容してスイベルアンテナ１００を端末機２００に内蔵する時に加えられる力によりヒンジ部１３０が損傷されることを未然に防止する。
【００１６】
まず、給電部１１０は端末機２００と電気的に接触されて、受信した電波を端末機２００に伝達する。実質的に、給電部１１０は端末機２００に固定されるようになされることができる。また、給電部１１０は下記に説明するアンテナ部１２０及びヒンジ部１３０が端末機２００の外部に伸張されるようになされた通路の役目をする。このような給電部１１０は、ヒンジ部１３０の下部を固定するようになされた固定ガイド１１０ａを含んで、スイベルアンテナ１００が端末機２００を離脱しないように助ける。固定ガイド１１０ａは弾性力を有する板スプリングなどからなり、ヒンジ部１３０を弾力的に固定させる。このような給電部１１０は当業者により多様な形態に変更されることができ、本発明で給電部１１０の形態をこれに限定するのではない。
【００１７】
上記アンテナ部１２０は、伸縮可能に多段に折り畳まれて給電部１１０に受信された電波を伝達する。より詳しくは、アンテナ部１２０は弾性力を有するホイップアンテナ１２１及びホイップアンテナ１２１を中心として多段に折り畳まれる第１乃至第３ロードアンテナ１２２乃至１２４を含む。ホイップアンテナ１２１は、アンテナ部１２０の折畳時、最内側に位置し、伸張されたアンテナ部１２０の外力による変形を防止するために弾性力を有する材質からなる。この時、ホイップアンテナ１２１は一側が下記に説明するヒンジ部１３０に固定され、その反対側は胴体より相対的に直径の広いヘッド部１２１ａが形成されて第１ロードアンテナ１２２の伸張時、離脱を防止する。第１乃至第３ロードアンテナ１２２乃至１２４は、中空型の棒形状からなり、ホイップアンテナ１２１を中心として順次に折り畳まれるようになされる。第１乃至第３ロードアンテナ（１２２乃至１２４）は、各々折り畳まれる一側端部が下記に説明するヒンジ部１３０に安着され、その反対側には係止部材（１２２ａ乃至１２４ａ）が形成されて、上段のロードアンテナが離脱することを防止する。
【００１８】
本発明によれば、アンテナ部１２０の最外郭に形成された第３ロードアンテナ１２４は、下記に説明するヒンジ部１３０の溝部１３２の一部を収容することによって、外力による溝部１３２の変形を防止する。即ち、第３ロードアンテナ１２４は折り畳まれる一側端部１２４ｓが溝部１３２の一部に安着され、その反対側には係止部材１２４ａにモールディング形成されたヘッド１２４ｂを含む。本発明によれば、ロードアンテナが３個と図示されているが、当業者の設計に従い、それより少ない１つまたは２つのロードアンテナを含むことができ、３個以上のロードアンテナからなることもできることは勿論である。
【００１９】
上記ヒンジ部１３０は、アンテナ部１２０の回動のために給電部１１０とアンテナ部１２０の間に連結される。より詳しくは、ヒンジ部１３０は、挿入部１３１、溝部１３２、及びこれらを連結するヒンジピン１３３を含む。
【００２０】
挿入部１３１は、一側がアンテナ部１２０のうち、ホイップアンテナ１２１の一側を圧着固定するようになされ、他側にはヒンジピン１３３を収容するための収容孔が形成された突出部を含む。溝部１３２は、一側には挿入部１３１の突出部を収容し、ヒンジピン１３３を収容するための収容孔が形成された凹溝部が形成され、他側は給電部１１０と連結されるようになされる。溝部１３２の内部にはアンテナ部１２０を回動するためのガイド部材１３２ａが設けられる。また、溝部１３２の端部には係止段１３２ｂが形成されて給電部１１０からヒンジ部１３０が離脱されないように助ける。本発明に従うヒンジ部１３０を用いたアンテナ部１２０の回動は、通常的に実施可能になされるので、詳細な説明は省略する。本発明によれば、溝部１３２のヒンジピン１３３が連結される一側と給電部１１０と連結される他側の直径が互いに異なる段差部１３２ｓを含んでなされる。この際、溝部１３２の一側は第３ロードアンテナ１２４の折り畳まれる端部１２４ｓに比べて相対的に直径が小さく形成され、溝部１３２の他側は第３ロードアンテナ１２４の折り畳まれる端部１２４ｓに比べて相対的に直径が大きく形成される。即ち、第３ロードアンテナ１２４の折り畳まれた端部１２４ｓが溝部１３２の段差部１３２ｓに安着されて溝部１３２の一側が第３ロードアンテナ１２４の内部に収容される。
【００２１】
図７を参照すれば、本発明の一実施形態に係るスイベルアンテナ１００の要部斜視図が図示されている。
【００２２】
図７に示すように、アンテナ部１２０は多段に折り畳まれ、各端部がヒンジ部１３０に順次に安着される。まず、ホイップアンテナ１２１は一側が挿入部１３１の内部に固定された状態でなされる。第１ロードアンテナ１２２は、中空型の内部にホイップアンテナ１２１を収容し、折り畳まれる端部が挿入部１３１に安着される。第２ロードアンテナ１２３は中空型の内部に第２ロードアンテナ１２３を収容し、折り畳まれる端部が挿入部１３１に安着される。第３ロードアンテナ１２４は、中空型の内部に第２ロードアンテナ１２３を収容し、折り畳まれる端部１２４ｓが溝部１３２に安着される。
【００２３】
この際、第１ロードアンテナ１２２及び第２ロードアンテナ１２３は、折り畳まれる端部が溝部１３２に安着されるように形成されることができ、本発明でこれを限定するのではない。本発明によれば、ヒンジピン１３３が結合された溝部１３２の一側１３２ｃは係止段１３２ｂを含んで給電部１１０に結合される溝部１３２の他側１３２ｄに比べて相対的に小さい直径を持つようになされる。したがって、溝部１３２の一側１３２ｃと他側１３２ｄとの間には段差部１３２ｓが形成される。段差部１３２ｓには第３ロードアンテナ１２４の折り畳まれる端部１２４ｓが安着される。第３ロードアンテナ１２４の折り畳まれる端部１２４ｓは第２ロードアンテナ１２３を収容するための開口部が形成された個所である。これによって、第３ロードアンテナ１２４は、溝部１３２の一側１３２ｃを中空型の内部に収容する。
【００２４】
図８を参照すれば、本発明に係るスイベルアンテナ１００が端末機２００に収容される形態を示す図面が図示されている。
【００２５】
図８に示すように、本発明に係るスイベルアンテナ１００は、アンテナ部１２０が完全に折り畳まれた状態で端末機２００に設けられた空間２００ａに挿入できる。即ち、スイベルアンテナ１００を端末機２００に挿入する前に、最外郭の第３ロードアンテナ１２４のみが外部に露出された状態でなされ、第３ロードアンテナ１２４の折り畳まれた端部１２４ｓは溝部１３２に安着されて溝部１３２の一側を収容するようになる。第３ロードアンテナ１２４に収容された溝部１３２の一側は実質的にヒンジピン１３３により挿入部１３１と溝部１３２とが結合される部分を収容する。したがって、スイベルアンテナ１００は、第３ロードアンテナ１２４が相対的に外力に弱いヒンジ部１３０の結合部分を収容するようになされることによって、端末機２００に挿入するための力（Ｆ１）がヒンジ部１３０の結合部分に影響を及ぼさない。
【００２６】
前述した本発明の一実施形態によれば、アンテナ部１２０の最外郭に形成された第３ロードアンテナ１２４が溝部１３２の一側１３２ｃを収容するようになされることによって、外力によりヒンジ部１３０の結合部が変形されることを防止することができる。即ち、ヒンジ部１３０のうち、挿入部１３１と溝部１３２がヒンジピン１３３により結合される部分は、アンテナ部１２０を実質的に回動する部分であって、外力に相対的に脆弱であり得るため、端末機２００にスイベルアンテナ１００を挿入する時、最外郭に位置した第３ロードアンテナ１２４がヒンジ部１３０の溝部１３２の一側を収容するようにすることで、ヒンジ部１３０の結合部が外力により影響を受けないようになる。これによって、相対的にスイベルアンテナ１００の耐久性が高まり、使用者の信頼が得られる。
【００２７】
本発明は、前述した特定の好ましい実施形態に限定されず、特許請求範囲で請求する本発明の要旨から外れることなく、当該発明が属する技術分野で通常の知識を有する者であれば誰でも多様な変形の実施が可能であることは勿論であり、そのような変更は特許請求範囲の記載の範囲内にあるようになる。
【符号の説明】
【００２８】
１０、１００    スイベルアンテナ
２０、２００    端末機
１１、１１０    給電部
１２、１２０    アンテナ部
１２ａ、１２１    ホイップアンテナ
１２２    第１ロードアンテナ
１２３    第２ロードアンテナ
１２４    第３ロードアンテナ
１２４ｓ    端部
１３、１３０    ヒンジ部
１３１    挿入部
１３２    溝部
１３２ｓ    段差部
１３３    ヒンジピン
【図１】
2010533410.tif 000003
【図２】
2010533410.tif 000004
【図３】
2010533410.tif 000005
【図４】
2010533410.tif 000006
【図５】
2010533410.tif 000007
【図６】
2010533410.tif 000008
【図７】
2010533410.tif 000009
【図８】
2010533410.tif 000010
【国際調査報告】
2010533410.tif 000011
2010533410.tif 000012